(57)【要約】【課題】  被検眼の経過観察を効率よく好適に行う。【解決手段】  眼科撮影装置によって取得された被検眼の所定部位における被検眼画像を記憶する記憶手段と、記憶手段に記憶された被検眼画像を表示するモニタと、検者によって操作入力される操作入力部と、を備える眼科観察装置であって、異なる検査日時にて各々取得され前記記憶手段に記憶された第１の被検眼画像及び第２の被検眼画像が前記モニタ上における所定の表示範囲に並列して表示された状態において、前記操作入力部からの操作信号に基づいて前記第１の被検眼画像及び前記第２の被検眼画像を同期させて両被検眼画像の表示領域の変更を行う表示制御手段を有する。【選択図】      図５
2010246904.tif 000002
【特許請求の範囲】
【請求項１】
眼科撮影装置によって取得された被検眼の所定部位における被検眼画像を記憶する記憶手段と、記憶手段に記憶された被検眼画像を表示するモニタと、検者によって操作入力される操作入力部と、を備える眼科観察装置であって、
異なる検査日時にて各々取得され前記記憶手段に記憶された第１の被検眼画像及び第２の被検眼画像が前記モニタ上における所定の表示範囲に並列して表示された状態において、前記操作入力部からの操作信号に基づいて前記第１の被検眼画像及び前記第２の被検眼画像を同期させて両被検眼画像の表示領域の変更を行う表示制御手段を有することを特徴とする眼科観察装置。
【請求項２】
請求項１の眼科観察装置において、
前記表示制御部は、前記操作入力部からの操作信号に基づいて前記モニタ上に表示される被検眼画像の表示倍率を変更する場合、第１の被検眼画像に対する表示倍率の変更と第２の被検眼画像に対する表示倍率の変更とを同期させることを特徴とする眼科観察装置。
【請求項３】
請求項２の眼科観察装置において、
前記表示制御部は、前記モニタ上の第１と第２の被検眼画像のどちらか一方に対する前記表示領域又は表示倍率の変更を指示する信号が出力された場合、前記一方の被検眼画像に対する前記表示領域又は表示倍率の変更に同期して、他方の被検眼画像に対する前記表示領域又は表示倍率の変更を行うことを特徴とする眼科観察装置。
【請求項４】
請求項３の眼科観察装置において、
第１と第２の被検眼画像に対する前記表示領域又は表示倍率の変更を同期させる同期モードと、第１と第２の被検眼画像に対する前記表示領域又は表示倍率の変更を同期させない非同期モードと、を切換えるためのモード切換手段を有し、
前記非同期モードに設定された場合、前記表示制御部は、前記モニタ上の第１と第２の被検眼画像のどちらか一方に対する前記表示領域又は表示倍率の変更を指示する信号が出力された場合、前記一方の被検眼画像に対する前記表示領域又は表示倍率の変更のみを行うことを特徴とする眼科観察装置。
【請求項５】
請求項４の眼科観察装置において、
前記表示制御部は、撮影位置が異なる第１の撮影部位と第２の撮影部位に関して、第１の撮影位置に関して検査日時の異なる第１の被検眼画像と第２の被検眼画像と、第２の撮影位置に関して検査日時の異なる第３の断層画像と第４の断層画像と、前記モニタ上における所定の表示範囲に並列して表示させると共に、
前記同期モードにおいて、少なくとも４つの被検眼画像のいずれかに対して前記表示領域又は表示倍率の変更が行われる場合、第１の撮影位置に関する被検眼画像であれば、第１と第２の被検眼画像の前記表示領域又は前記表示倍率の変更を同期させ、第２の撮影位置に関する被検眼画像であれば、第３と第４の被検眼画像の前記表示領域又は前記表示倍率の変更を同期させることを特徴とする眼科観察装置。
【請求項６】
請求項５の眼科観察装置において、
前記被検眼画像は、被検者眼眼底の断層画像又は正面画像であることを特徴とする眼科観察装置。
【請求項７】
請求項６の眼科観察装置において、
前記表示制御部は、さらに、同一日時にて取得された右眼における被検眼画像及び左眼における被検眼画像を前記モニタ上における所定の表示範囲に並列して表示させると共に、
前記操作入力部からの操作信号に基づいて前記被検眼画像において前記モニタ上に表示される表示領域を変更する場合、前記右眼における被検眼画像に対する前記表示領域の変更と前記左眼における被検眼画像に対する前記表示領域の変更とを同期させることを特徴とする眼科観察装置。
【請求項８】
眼科撮影装置によって取得された被検眼の所定部位における被検眼画像を記憶する記憶手段と、記憶手段に記憶された被検眼画像を表示する表示手段と、検者によって操作入力される操作入力手段と、を有するコンピュータを、
異なる検査日時にて各々取得され前記記憶手段に記憶された第１の被検眼画像及び第２の被検眼画像が前記表示手段上における所定の表示範囲に並列して表示された状態において、前記操作入力手段からの操作信号に基づいて前記第１の被検眼画像及び前記第２の被検眼画像を同期させて両被検眼画像の表示領域の変更を行う表示制御手段として機能させることを特徴とする眼科観察プログラム。
【発明の詳細な説明】
【技術分野】
【０００１】
本発明は、眼科撮影装置によって撮影された被検眼の所定部位における画像を観察するために用いられる眼科観察プログラム及び眼科観察装置に関する。
【背景技術】
【０００２】
眼科用光干渉断層計（ＯＣＴ：optical coherence tomography）、眼底カメラ、レーザ走査検眼鏡（ＳＬＯ：scanning laser ophthalmoscope）、等の眼科撮影装置において、異なる検査日時において被検眼の同一部位における画像を取得し、経過観察を行う場合がある。例えば、眼科用ＯＣＴの場合、眼底の断層画像が複数回に亘って取得され、断層画像の変化から病変部の経過が観察される。
【０００３】
このような場合、眼科用画像ファイリングシステムに記憶された被検眼画像から該当する画像のデータが選択され、表示モニタの画面に表示された被検眼画像を元に経過観察が行うことが考えられる。
【先行技術文献】
【特許文献】
【０００４】
【特許文献１】特開２００８−２９４６７号公報
【発明の概要】
【発明が解決しようとする課題】
【０００５】
しかしながら、従来の構成の場合、選択された被検眼画像がモニタの画面に表示されるにすぎず、被検眼の同一部位における画像を見比べるには、十分とはいえなかった。
【０００６】
本発明は、上記問題点を鑑み、被検眼の経過観察を効率よく好適に行うことができる眼科観察プログラム及び眼科観察装置に関する。
【課題を解決するための手段】
【０００７】
上記課題を解決するために、本発明は以下のような構成を備えることを特徴とする。
【０００８】
（１）  眼科撮影装置によって取得された被検眼の所定部位における被検眼画像を記憶する記憶手段と、記憶手段に記憶された被検眼画像を表示するモニタと、検者によって操作入力される操作入力部と、を備える眼科観察装置であって、
異なる検査日時にて各々取得され前記記憶手段に記憶された第１の被検眼画像及び第２の被検眼画像が前記モニタ上における所定の表示範囲に並列して表示された状態において、前記操作入力部からの操作信号に基づいて前記第１の被検眼画像及び前記第２の被検眼画像を同期させて両被検眼画像の表示領域の変更を行う表示制御手段を有することを特徴とする。
（２）  （１）の眼科観察装置において、
前記表示制御部は、前記操作入力部からの操作信号に基づいて前記モニタ上に表示される被検眼画像の表示倍率を変更する場合、第１の被検眼画像に対する表示倍率の変更と第２の被検眼画像に対する表示倍率の変更とを同期させることを特徴とする。
（３）  （２）の眼科観察装置において、
前記表示制御部は、前記モニタ上の第１と第２の被検眼画像のどちらか一方に対する前記表示領域又は表示倍率の変更を指示する信号が出力された場合、前記一方の被検眼画像に対する前記表示領域又は表示倍率の変更に同期して、他方の被検眼画像に対する前記表示領域又は表示倍率の変更を行うことを特徴とする。
（４）  （３）の眼科観察装置において、
第１と第２の被検眼画像に対する前記表示領域又は表示倍率の変更を同期させる同期モードと、第１と第２の被検眼画像に対する前記表示領域又は表示倍率の変更を同期させない非同期モードと、を切換えるためのモード切換手段を有し、
前記非同期モードに設定された場合、前記表示制御部は、前記モニタ上の第１と第２の被検眼画像のどちらか一方に対する前記表示領域又は表示倍率の変更を指示する信号が出力された場合、前記一方の被検眼画像に対する前記表示領域又は表示倍率の変更のみを行うことを特徴とする。
（５）  （４）の眼科観察装置において、
前記表示制御部は、撮影位置が異なる第１の撮影部位と第２の撮影部位に関して、第１の撮影位置に関して検査日時の異なる第１の被検眼画像と第２の被検眼画像と、第２の撮影位置に関して検査日時の異なる第３の断層画像と第４の断層画像と、前記モニタ上における所定の表示範囲に並列して表示させると共に、
前記同期モードにおいて、少なくとも４つの被検眼画像のいずれかに対して前記表示領域又は表示倍率の変更が行われる場合、第１の撮影位置に関する被検眼画像であれば、第１と第２の被検眼画像の前記表示領域又は前記表示倍率の変更を同期させ、第２の撮影位置に関する被検眼画像であれば、第３と第４の被検眼画像の前記表示領域又は前記表示倍率の変更を同期させることを特徴とする。
（６）  （５）の眼科観察装置において、
前記被検眼画像は、被検者眼眼底の断層画像又は正面画像であることを特徴とする。
（７）  （６）の眼科観察装置において、
前記表示制御部は、さらに、同一日時にて取得された右眼における被検眼画像及び左眼における被検眼画像を前記モニタ上における所定の表示範囲に並列して表示させると共に、
前記操作入力部からの操作信号に基づいて前記被検眼画像において前記モニタ上に表示される表示領域を変更する場合、前記右眼における被検眼画像に対する前記表示領域の変更と前記左眼における被検眼画像に対する前記表示領域の変更とを同期させることを特徴とする。
（８）  眼科撮影装置によって取得された被検眼の所定部位における被検眼画像を記憶する記憶手段と、記憶手段に記憶された被検眼画像を表示する表示手段と、検者によって操作入力される操作入力手段と、を有するコンピュータを、
異なる検査日時にて各々取得され前記記憶手段に記憶された第１の被検眼画像及び第２の被検眼画像が前記表示手段上における所定の表示範囲に並列して表示された状態において、前記操作入力手段からの操作信号に基づいて前記第１の被検眼画像及び前記第２の被検眼画像を同期させて両被検眼画像の表示領域の変更を行う表示制御手段として機能させることを特徴とする。
【発明の効果】
【０００９】
本発明によれば、被検眼の経過観察を効率よく好適に行うことができる。
【発明を実施するための形態】
【００１０】
以下、本発明の実施形態を図面に基づいて説明する。図１は本実施形態に係る眼科観察装置の構成について説明するブロック図である。
【００１１】
眼科撮影装置１０によって撮影された眼底画像をモニタ上で観察するための眼科観察装置１は、ＣＰＵ（演算制御部）７０と、マウス（操作入力部）７６と、メモリ（記憶部）７２と、モニタ７５と、から構成され、各部はバス等を介してＣＰＵ７０と電気的に接続されている。
【００１２】
ＣＰＵ７０は、メモリ７２に記憶されている眼科観察プログラム及び各種制御プログラムに基づいて各部の動作を制御する。この眼科観察プログラムをコンピュータ上で実行させることによって眼科観察装置１を使用することが可能となる。ここで、ＣＰＵ７０は、眼科観察プログラムにしたがってモニタ７５の表示画面を制御する。
【００１３】
本実施形態におけるマウス７６には、検者の手によってマウス７６本体が２次元的に移動されたときの移動信号を検出するセンサと、検者の手によって押圧されたことを検知するための左右２つのマウスボタンと、左右２つのマウスボタンの間に前後方向に回転可能なホイール機構と、が設けられている。なお、ＣＰＵ７０、マウス７６、メモリ７２、モニタ７５として、市販のＰＣ（パーソナルコンピュータ）が持つ演算処理部、入力部、記憶部、表示部を用い、市販のＰＣに眼科観察プログラムをインストールするようにしてもよい。
【００１４】
なお、眼科観察装置１には、被検眼の所定部位における画像を撮影するための眼科撮影装置１０が接続されている。図１において、眼科撮影装置１０は、被検眼眼底の断層画像を得るための干渉光学系（ＯＣＴ光学系）２００と、被検眼眼底の正面画像を得るための正面観察光学系３００と、制御部４００と、を有し、被検眼の眼底部位を撮影できる。なお、眼科撮影装置１０の詳しい構成については、特開２００８−２９４６７号公報を参考にされたい。
【００１５】
干渉光学系２００は、第１の光源から発せられた第１の測定光を被検眼眼底上で走査させる第１走査部（光スキャナ）と、第１の光源から発せられた光によって生成される参照光と被検眼眼底に照射された第１測定光の反射光との合成により得られる干渉光を受光する第１の受光素子と、を備え、いわゆる眼科用光断層干渉計（ＯＣＴ）の装置構成を持つ。なお、干渉光学系２００の構成としては、スペクトルメータを用いるSpectral-domain OCT（ＳＤ−ＯＣＴ）、波長可変光源を用いるSwept-source OCT（ＳＳ−ＯＣＴ）、Time-domain OCT（ＴＤ−ＯＣＴ）、等が考えられる。
【００１６】
正面観察光学系３００は、第２の光源から発せられた第２の測定光を被検眼眼底上で二次元的に走査させる第２走査部（光スキャナ）と、眼底と略共役位置に配置された共焦点開口を介して眼底反射光を受光する第２の受光素子と、を備え、いわゆる眼科用走査型レーザ検眼鏡（ＳＬＯ）の装置構成を持つ。なお、観察光学系３００の構成としては、いわゆる眼底カメラタイプの構成であってもよい。
【００１７】
制御部４００は、眼科撮影装置１０の各部材を制御し、干渉光学系２００が持つ第１の受光素子から出力される受光信号に基づいて断層画像（ＯＣＴ画像）を取得すると共に、正面観察光学系３００が持つ第２の受光素子から出力される受光信号に基づいて正面画像（ＳＬＯ画像）を取得する。
【００１８】
眼科観察装置１と眼科撮影装置１０とは、ＬＡＮ等で接続されており、眼科撮影装置１０で取得された各種データ（例えば、断層画像データ、正面画像データ、画像取得時における各種撮影条件（例えば、測定光の走査位置、検査日時）、等）は、データベースとしてのメモリ７２に転送される。
【００１９】
図２は、モニタ７５に表示される表示画面（経過観察画面）の一例である。モニタ７５の画面には、マウス７６の移動操作によりモニタ７５上の画面全体を移動可能なカーソル１００と、断層画像表示領域２１０と、正面画像表示領域３１０と、断層画像表示領域２１０に表示された断層画像の表示条件を調整するための表示条件設定領域４１０と、検査日時の異なる各断層画像に対する表示条件／表示領域の変更を各断層画像同士で同期させるか否かを選択するための同期ボタン５１０と、が設けられている。
【００２０】
ＣＰＵ７０は、検者によってマウス７６が操作されたときにマウス７６から出力される操作信号に基づいてモニタ７５の画面上でカーソル１００を移動させる。また、モニタ７５上の所望の位置にカーソル１００を合わせた状態で、クリック操作又はドラッグ操作が行われると、各種表示条件／表示領域が設定される。カーソル１００は、モニタ７５上における任意の位置を指定するために用いられる。
【００２１】
断層画像表示領域２１０には、異なる検査日時にて各々取得されメモリ７２に記憶された第１の断層画像２２０と第２の断層画像２３０とがそれぞれ所定の表示範囲に並列して表示された状態となっている。この場合、第１の断層画像２２０と第２の断層画像２３０は、メモリ７２に記憶された断層画像データの少なくとも一部が表示される。なお、図２においては、同一部位の断層画像として、黄斑部の断層像が表示されている。
【００２２】
なお、ＣＰＵ７０は、図示無き各画像データに付されている検査日時情報を元に、検査日時の古い方の画像をモニタ７５の上方に表示し、検査日時の新しい方の画像をモニタ７５の下方に表示する。
【００２３】
なお、断層画像２２０と断層画像２３０をモニタ７５に表示させる場合、検者は、図示無き所定の画像選択画面において、メモリ７２に記憶された同一被検者の同一部位（例えば眼底の黄斑部付近等）における画像データから、検査日時の異なる任意の断層画像を予め選択しておき、観察画面を呼び出す操作を行うことによって選択された検査日時の異なる２つの画像を一画面に表示させる。なお、断層画像の撮影部位は、画像取得と同時にメモリ７２に記憶された測定光の走査位置情報、固視位置情報、等から特定できる。
【００２４】
正面画像表示領域３１０には、表示領域２１０に表示される断層画像と略同時に取得されメモリ７２に記憶された正面画像が所定の表示範囲に並列して表示され、第１の正面画像３２０は第１の断層画像２２０に対応し、第２の正面画像３３０は第２の断層画像２３０に対応する。これら正面画像のモニタ７５への出力は、断層画像が選択される際に行われる。
【００２５】
表示条件設定領域４１０には、断層画像の明るさを調整するための明るさ調整部４２０と、断層画像のコントラストを調整するためのコントラスト調整部４３０と、断層画像のズーム倍率（表示倍率）を調整するためのズーム倍率調整部４４０と、が表示されている。なお、初期設定として、明るさ５０％、コントラスト５０％、ズーム倍率１００％に設定されている。ここで、マウス７６の操作を介して，各調整部に設けられたスライダの表示位置が変更されると、ＣＰＵ７０は、各断層画像の各種表示条件を変更する。
【００２６】
また、設定領域４１０の他、断層画像２２０又は断層画像２３０の上にカーソル１００が置かれた状態で、マウス７６のホイールが回転されると、ＣＰＵ７０は、その操作信号に基づいて断層画像のズーム倍率を変化させる。また、断層画像２２０又は断層画像２３０上にカーソル１００が置かれた状態で、マウス７６によるドラッグ操作がなされると、ＣＰＵ７０は、その操作信号に基づいて断層画像においてモニタ７５上に表示される領域（表示領域）を変更する。
【００２７】
図３はモニタ７５に表示される断層画像の表示倍率及び表示領域の変更について説明するための模式図である。点線上の矩形領域は、メモリ７２に記憶された断層画像データＡを表す。そして、画像データＡはズーム倍率に応じて拡大・縮小される。太線（実線）の矩形領域は、この大きさの画像データＡにおいてモニタ７５に実際に表示される領域（表示領域）Ｂを表す。表示領域Ｂは、断層画像表示領域２１０において断層画像毎に設定された所定の表示範囲に対応しており、画像データＡの中で表示領域Ｂに囲まれた領域が断層画像２２０又は断層画像２３０としてモニタ７５に表示されることとなる。
【００２８】
ここで、ズーム倍率の変更を指示する操作信号が出力されると、ＣＰＵ７０は、表示領域Ｂに対する画像データＡの倍率を変化させる（図３はズーム倍率が２００％のときのものである）。これにより、モニタ７５に表示される断層画像のズーム倍率が変化される。
【００２９】
また、表示領域の変更を指示する操作信号が出力されると、ＣＰＵ７０は、所定の倍率に設定された画像データＡに対して表示領域Ｂを上下左右方向に移動させる。これにより、モニタ７５に表示される断層画像の表示領域が変更される。具体的には、ＣＰＵ７０は、マウス７６のドラッグを開始した点を始点とし、ドラッグが終了した点を終点とするベクトル量（ΔＸ、ΔＹ）を随時検出し、検出されたベクトル量に応じて表示領域Ｂを移動させる。そして、ＣＰＵ７０は、移動された表示領域Ｂに対応する断層画像データをモニタ７５の所定範囲に出力する。これにより、モニタ７５上の断層画像が上下左右方向にスクロールされる。これにより、検者は、断層画像における任意の眼底部位を容易に観察できる。
【００３０】
なお、ズーム倍率が１００％より大きい場合、断層画像の表示領域が変更されると、モニタ７５上に表示される眼底部位が深さ方向及び／又は左右方向に関して変更される。また、ズーム倍率が１００％以下の場合、断層画像の表示領域が変更されると、モニタ７５上に表示される眼底部位が深さ方向及び／又は左右方向に関して移動される。
【００３１】
なお、表示領域を変更する場合、上記ドラッグ操作に限るものはなく、上下左右方向に関連する操作信号に基づいてモニタ７５を表示制御するものであれば、これに限るものではない。例えば、モニタ７５に表示されるスクロールバーを移動させる構成であってもよい。また、上下左右方向に関連する操作信号を出力するためのポインティングデバイスとしては、マウス７６の他、トラックボール、キーボードの十字キー、タッチパネル、等を用いた構成が考えられる。
【００３２】
同期ボタン５１０は、２つの断層画像のどちらか一方に対する表示条件／表示領域の変更と他方の断層画像の表示条件／表示領域の変更を同期させる同期モードと、これを同期させない非同期モードと、を選択的に切換えるためのモード切換部として用いられる。図２の場合、同期ボタン５１０がチェックされると同期モードに設定され、同期ボタン５１０のチェックが外されると非同期モードに設定される。
【００３３】
上記のような経過観察用（フォローアップ用）の表示画面において、検者が経過観察を行う場合について説明する。経過観察の対象となる２枚の断層画像が選択されてモニタ７５上に表示されると、検者は断層画像２２０、２３０を観察できる。なお、本実施形態では、初期設定として同期モードに設定されている。
【００３４】
同期モードに設定された場合において、２つの断層画像のどちらか一方に対して表示条件／表示領域の変更が行われると、ＣＰＵ７０は、この変更に同期して、他方の断層画像に対して同様の表示条件／表示領域の変更を行う。
【００３５】
より具体的には、同期モードにおいて表示倍率を変更する場合、ＣＰＵ７０は、ズーム倍率調整部４４０のスライダ操作又はホイールの回転操作によって設定されるズーム倍率に応じて、断層画像２２０と断層画像２３０とを同じズーム倍率で表示する（図４参照）。ここで、ズーム倍率が変更されると、断層画像２２０と断層画像２３０の両方のズーム倍率が同期して変更される。なお、非同期モードにおいて断層画像２２０と断層画像２３０のズーム倍率が異なっていた場合、同期モードに設定されると、いずれか一方の断層画像のズーム倍率に合わせて他方のズーム倍率が調整される。
【００３６】
また、断層画像の輝度及びコントラストの調整においても、ＣＰＵ７０は、ズーム倍率の調整と同様に、明るさ調整部４２０又はコントラスト調整部４３０のスライダ操作に応じて、断層画像２２０と断層画像２３０を同じ明るさ又は同じコントラスト設定にて表示する。
【００３７】
また、ＣＰＵ７０は、断層画像２２０又は断層画像２３０の一方に対するドラッグ操作によって検出されるベクトル量に応じて断層画像２２０の表示領域及び断層画像２３０の表示領域を逐次変更する。そして、ＣＰＵ７０は、変更された表示領域に対応する各断層画像をそれぞれモニタ７５上の所定範囲に出力する。この場合、マウス７６によって検出される所定のベクトル量に対する断層画像２２０及び断層画像２３０の表示領域の移動方向及び移動量が同一となるように設定されている。このため、断層画像２２０及び２３０がモニタ７５上において略平行に移動されるように表示される（図４がドラッグ操作前、図５がドラック後である）。
【００３８】
このようにすれば、一方の断層画像においてモニタ７５に表示される表示領域が変更されたときに、他方の断層画像についても追従して同様に表示領域が変更されるため、断層画像を用いた経過観察が容易となる。
【００３９】
なお、以上の説明においては、モニタ７５上の第１と第２の断層画像のどちらか一方に対する表示領域を指示する信号が出力された場合、一方の断層画像に対する表示領域の変更に同期して、他方の被検眼画像に対する表示領域の変更を行うものとしたが、これに限るものではない。操作入力部（例えば、マウス７６）からの操作信号に基づいて第１の断層画像及び第２の断層画像を同期させて両断層画像の表示領域の変更を行う構成であればよい。例えば、モニタ７５上に両断層画像の表示領域を同期して変更させるためのスクロールバーを設ければよい。
【００４０】
一方、同期ボタン５１０によって非同期モードに設定された場合、２つの断層画像のどちらか一方に対して表示条件／表示領域の変更が行われると、ＣＰＵ７０は、その断層画像に対してのみ表示条件／表示領域の変更を行う。
【００４１】
より具体的には、断層画像２２０がカーソル１００によって指定された状態で、そのズーム倍率が所定のズーム倍率に変更される場合、ＣＰＵ７０は、断層画像２２０を設定されたズーム倍率に変更する。ここで、断層画像２３０のズーム倍率は変更されない。なお、画像の明るさ及びコントラストの調整においても、同様である。
【００４２】
また、断層画像２２０に対してドラッグ操作がなされると、ＣＰＵ７０は、マウス７６によって検出されるベクトル量に応じて断層画像２２０の表示領域を逐次変更する。そして、ＣＰＵ７０は、変更された表示領域に対応する断層画像２２０をモニタ７５上の所定範囲上に出力する（図６参照）。ここで、断層画像２３０の表示領域は変更されない。
【００４３】
上記のような非同期モードの用途としては、同期モードによる表示領域の変更の前に、各断層画像取得時の撮影位置のずれによる断層画像２２０と断層画像２３０との表示部位及び表示位置のずれを修正する場合が考えられる。この場合、検者は、断層画像２２０と断層画像２３０上における眼底の同一部位がほぼ同じ表示位置にて表示されるように、前述のドラッグ操作により各断層画像の表示領域を変更すればよい。
【００４４】
このようにすれば、前述の同期モードにて断層画像の表示領域が変更される場合に、各断層画像間で撮影位置のずれがあっても、検者は、同一部位での画像同士を容易に比較可能となる。これは、断層画像のズーム倍率が高いとき（撮影位置のズレによる影響が大きい）に特に有効である。
【００４５】
なお、非同期モードの他の用途としては、検者が一方の画像のみに注目して断層画像を観察したい場合、検者の注目位置が断層画像毎に異なる場合、等が考えられる。
【００４６】
なお、上記において、ＣＰＵ７０は、マウス７６から出力される操作信号に基づいて断層画像２２０と断層画像２３０の少なくとも一方の表示領域を変更し、断層画像２２０と断層画像２３０の位置ずれを補正したが、これに限るものではない。すなわち、眼科撮影装置１０によって取得された断層画像２２０と断層画像２３０が処理され、断層画像２２０と断層画像２３０の位置ずれが補正される手法であればよい。
【００４７】
例えば、ＣＰＵ７０は、断層画像２２０と断層画像２３０の位置ずれ情報を画像処理により検出し、検出された位置ずれ情報に基づいて断層画像２２０と断層画像２３０の少なくとも一方の表示領域を変更し、断層画像２２０と断層画像２３０の位置ずれを補正してもよい。
【００４８】
この場合、例えば、２つの画像間の位置ずれが検出され、このずれが補正されるように処理される。また、各画像に対し基準位置に対するずれが検出され、各画像の同一部位がある基準位置に補正されるように処理されてもよい。また、位置ずれ補正が行われるタイミングとしては、特に限定されず、例えば、各画像が取得された段階で随時処理されてもよいし、両画像が並列表示される段階で処理されてもよい。
【００４９】
なお、断層画像２２０と断層画像２３０の位置ずれ情報を検出する手法としては、種々の画像処理手法（各種相関関数を用いる方法、フーリエ変換を利用する方法、特徴点のマッチングに基づく方法、深さ方向における輝度分布のピーク位置のずれを検出する方法）を用いることが可能である。
【００５０】
また、以上の説明においては、検査日時の異なる２つの断層画像をモニタ７５に並列して表示する構成としたが、検査日時の異なる３つ以上の断層画像をモニタ７５に並列して表示するようにしてもよい。
【００５１】
また、以上の説明においては、所定の撮影位置における断層画像（例えば、黄斑部に対して測定光を左右方向に走査したときの断層画像）に関して、検査日時の異なる断層画像をモニタ７５に表示するものとしたが、これに限るものではない。すなわち、撮影位置が異なる２つ以上の断層画像（例えば、黄斑部に対して測定光を左右方向と上下方向に走査したときの各断層画像）に関して、検査日時の異なる断層画像をモニタ７５にそれぞれ表示するようにしてもよい。
【００５２】
この場合、例えば、第１の撮影位置に関して検査日時の異なる第１の断層画像の少なくとも一部と第２の断層画像の少なくとも一部と、第２の撮影位置に関して検査日時の異なる第３の断層画像の少なくとも一部と第４の断層画像の少なくとも一部と、がそれぞれモニタ７５上の所定の表示範囲に並列して表示される。この場合、第１と第３の断層画像は同じ検査日時で取得された画像であり、第２と第４の断層画像は同じ検査日時で取得された画像である。
【００５３】
そして、同期モードにおいて、４つの断層画像のいずれかに対して表示条件／表示領域の変更が行われる場合、これが第１の撮影位置に関する断層画像であれば、第１の断層画像と第２の断層画像の表示条件／表示領域の変更を同期させる。また、第２の撮影位置に関する断層画像であれば、第３の断層画像と第４の断層画像の表示条件／表示領域の変更を同期させる。
【００５４】
なお、以上の説明においては、眼底の断層画像を例にとって説明したが、これに限るものではなく、同一被検者における検査日時の異なる２つ以上の眼底正面画像（ＳＬＯ又は眼底カメラによって取得された眼底正面画像）がモニタ上で並列して表示される構成においても、本発明の適用は可能である。
【００５５】
また、眼底画像に限るものではなく、検査日時の異なる２つ以上の被検眼画像（被検眼の所定部位における画像）がモニタ上で並列して表示される構成であればよい。例えば、前眼部の断面画像又は正面画像がモニタ上で表示される構成においても、本発明の適用は可能である。
【００５６】
なお、以上の説明においては、検査日時の異なる少なくとも２つの被検眼画像に対する表示条件／表示領域を変更するものとしたが、同一の撮影位置にて取得された少なくとも２つ以上の被検眼画像の対比が可能なものであれば、これに限るものではない。例えば、眼科撮影装置によって同一日時にて取得された右眼における眼底画像と左眼における眼底画像を予め取得しておき、同一日時にて取得された右眼における眼底画像の少なくとも一部及び左眼における眼底画像の少なくとも一部がモニタ７５上における所定の表示範囲に並列して表示される場合においても適用可能である。この場合、ＣＰＵ７０は、マウス７６からの操作信号に基づいて眼底画像においてモニタ７５上に表示される表示領域を変更する場合、右眼における眼底画像に対する表示領域の変更と左眼における眼底画像に対する表示領域の変更とを同期させる。
【００５７】
なお、前述したように検査日時の異なる同一被検者の眼底画像（断層画像）を同じ観察画面上に並列させ見比べる際に、より効率よく経過観察を行うことができるように２枚の断層画像の各々層厚をグラフ化して表示させることもできる。このような層厚グラフは前述した経過観察画面の呼び出し操作において、予め選択された2つの断層画像とともに同一画面に並列表示される。
【００５８】
以下に、検査日時の異なる２つの断層画像を比較するための層厚グラフを表示したときの表示制御について図７を用いて説明する。なお、図２と同じ番号を付したものについては、特段の説明がない限り、同様の機能・構成を有するものとする。
【００５９】
図７において、グラフ表示領域６１０には、第１の断層画像と第２の断層画像に関する眼底の所定部位における層の厚さの分布を示す層厚グラフ６１０ａが表示されている。層厚グラフ６１０ａは、各深さ方向における層厚を算出し、横断方向に関して各計測位置における層厚の分布をグラフ化したものである。なお、図７の層厚グラフは、ＩＬＭ（内境界膜）を始端層、ＮＦＬ（視神経線維層）とＧＣＬ（神経節細胞層）の境界位置を終端層とする層厚分布を各断層画像に関してグラフ化したものであり、点線のグラフ２２０ａは第１の断層画像に対応し、実線のグラフ２３０ａは第２の断層画像に対応する。
【００６０】
なお、各断層画像の層厚分布情報を取得する場合、ＣＰＵ７０は、まず、メモリ７２に記憶された断層画像に対して所定の画像処理（例えば、エッジ検出）によって眼底上における各層の境界位置を検出する。そして、ＣＰＵ７０は、前述のように検出された各境界位置情報に基づいて眼底の所定部位の厚さを検出する。この場合、ＣＰＵ７０は、予め設定された始端層に対応する境界位置情報と、予め設定された終端層に対応する境界位置情報と、を取得し、各境界位置間の距離を求めることにより所定部位における層厚分布情報を取得できる。
【００６１】
なお、グラフ化される眼底の層厚情報としては、深さ方向（Ｚ方向）における眼底の層の厚さに関する情報であればよく、例えば、各層の厚みの他、複数の層の厚さを足し合わせたときの層の厚さであってもよい。例えば、神経線維層の厚み、網膜表面から脈絡膜までの厚み、等が考えられる。また、各断層画像に対する層厚情報のほか、第１と第２の断層画像間の層厚分布の差分をとった差分情報をグラフ化したものであってもよい。
【００６２】
また、層厚グラフ６１０ａ上には、深さ方向（層の厚さ方向）に伸びるラインＬｍが合成表示されている。ＣＰＵ７０は、層厚グラフ６１０ａ上における所定の計測位置を示す第１の指標（マーカー）としてラインＬｍを表示する。
【００６３】
そして、ＣＰＵ７０は、マウス７６からの操作信号に基づいてラインＬｍの表示位置を変更する。より具体的には、マウス７６の操作を介して層厚グラフ６１０ａの下のスライダ６３０の表示位置が変更されると、ラインＬｍは、層厚グラフ６１０ａ上における表示位置が横断方向に関して変更されるようになっている。
【００６４】
一方、ＣＰＵ７０は、第１の指標（ラインＬｍ）に対応する計測位置を示す第２の指標（マーカー）としてラインＬ１及びラインＬ２を第１の断層画像及び第２の断層画像上に表示する。より具体的には、ラインＬ１は断層画像２２０上に合成表示され、ラインＬ２は断層画像２３０上に合成表示される。そして、ラインＬｍの表示位置が変更されると、ＣＰＵ７０は、表示位置が変更されたラインＬｍに対応する計測位置にラインＬ１及びラインＬ２を表示する。
【００６５】
また、正面画像表示領域３１０の正面画像には、各正面画像上において層厚グラフ６１０ａのラインＬｍ（断層画像のラインＬ１及びラインＬ２）に対応する計測位置を示す第３の指標（マーカー）３２０Ｍ、３３０Ｍが表示される。
【００６６】
図８は層厚グラフ６１０ａのラインＬｍと断層画像２３０のラインＬ２との対応関係について説明する図である。層厚グラフ６１０ａは、画像データＡに対応した層厚グラフであり、メモリ７２に記憶された第１の断層画像（第２の断層画像も含む）の全体的な層厚分布を示している。そして、画像データＡと層厚グラフ６１０ａは、横断方向の座標位置に関して対応関係を持っている。
【００６７】
第２の断層画像における表示領域Ｂは、断層画像２３０としてモニタ７５に表示される領域である。ラインＬｍの表示位置は画像データＡにおける横断方向の座標位置Ｘ１に対応する。そして、ラインＬｍによって特定される座標位置Ｘ１は、ラインＬ２の表示位置に対応する。このため、断層画像２３０上のラインＬ２は、層厚グラフ６１０ａ上のラインＬｍに対応する表示位置に表示される。
【００６８】
より具体的には、ＣＰＵ７０は、ラインＬｍによって特定される座標位置Ｘ１が表示領域Ｂに対応する範囲内の場合、ＣＰＵ７０は、表示領域Ｂにおける座標位置Ｘ１に対応する表示位置にラインＬ２を表示する（図７はズーム倍率が１００％の場合、図９はズーム倍率が２００％の場合）。また、ラインＬｍによって特定される座標位置Ｘ１が表示領域Ｂに対応する範囲外の場合、ＣＰＵ７０は、表示領域Ｂに対する座標位置Ｘ１の位置に応じて、断層画像２３０の右端もしくは左端にラインＬ２を表示する。
【００６９】
また、ラインＬ１を表示する場合、ＣＰＵ７０は、メモリ７２に記憶された第１の眼底正面画像（第１の断層画像に対応）と第２の眼底正面画像（第２の断層画像に対応）とに基づいて第１と第２の断層画像同士の相対的な撮影位置のずれを検出する。そして、ＣＰＵ７０は、その検出結果に基づいてラインＬ１の表示位置を補正する。
【００７０】
より具体的には、ＣＰＵ７０は、メモリ７２に記憶された第１の正面画像と第２の正面画像とを比較して、第２の正面画像に対する第１の正面画像の位置ずれ方向及び位置ずれ量を画像処理により検出（演算）する。なお、２つの画像間の位置ずれを検出する手法としては、種々の画像処理手法（各種相関関数を用いる方法、フーリエ変換を利用する方法、特徴点のマッチングに基づく方法）を用いることが可能である。
【００７１】
次に、ＣＰＵ７０は、検出された正面画像間の位置ずれ情報に基づいて断層画像の横断方向（測定光の走査方向）に関する位置ずれ方向及び位置ずれ量を算出する。そして、ＣＰＵ７０は、横断方向に関する位置ずれ方向及び位置ずれ量Δｄｘに基づいて、ラインＬｍによって特定される座標位置Ｘ１を補正し（Ｘ１＋Δｄｘ）、補正された座標位置に対応する表示位置にラインＬ１を表示する。
【００７２】
この場合、断層画像２２０上に表示されるラインＬ１は、層厚グラフ６１０ａ上のラインＬｍに対応する表示位置に対して断層画像２２０と断層画像２３０との撮影位置のずれ量がオフセットされた状態で表示される。したがって、検査日時の異なる２つ以上の断層画像を用いて経過観察を行う場合、各断層画像間で撮影位置のずれがあっても、ラインＬ１とラインＬ２は眼底上のほぼ同一部位上に表示される。これは、断層画像のズーム倍率が高いとき（撮影位置のズレによる影響が大きい）に特に有効である。
【００７３】
これにより、検者は、層厚グラフ６１０ａを用いて第１と第２の断層画像の層厚の比較を行う場合、モニタ７２に表示された各断層画像との対応関係を容易に把握できる。
【００７４】
また、上記のようにラインＬ１及びラインＬ２を表示することにより、各断層画像間の撮影位置のずれを容易に把握することが可能である。例えば、同期モードにおいて、検者は、断層画像２３０の所定部位（例えば、血管部分）上にラインＬ２が表示されたときの，ラインＬ１とラインＬ２との表示位置のずれを参考に撮影位置のずれを確認できる。
【００７５】
なお、上記説明とは逆に、第１の断層画像２２０に対応するラインＬ１を基準として、位置ずれの検出及びラインＬ２の表示位置のオフセットを行う構成であってもよい。
【００７６】
また、検査日時の異なる断層画像をモニタ７５に表示する場合、検査日時の異なる３次元ＯＣＴ画像を予め取得しておき、３次元データから任意の断層画像を得るようにしてもよい。なお、上記のように撮影位置のずれを検出する場合、断層画像の取得と略同時に正面観察光学系３００によって取得される眼底正面画像を用いてもよいし、３次元ＯＣＴ画像の深さ方向における積算画像を用いることも可能である。
【００７７】
また、各断層画像上にラインＬｍに対応する計測位置を示す指標を表示する場合、層厚グラフ６１０ａにおいてグラフ化された部位に対応する表示位置に指標を表示するようにしてもよい。例えば、グラフ６１０ａ上に神経線維層の厚み分布が表示された場合、モニタ７２上の断層画像における神経線維層に対応する表示位置に指標（例えば、ライン表示）を表示してもよい。
【００７８】
また、以上の説明において、層厚グラフ上の計測位置と断層画像上の計測位置とを対応付ける表示パターンとして、層の厚さ方向に伸びるライン状の指標が使用されたが、これに限るものではなく、種々の変容が可能である。例えば、指標の形状、大きさ、色、等は任意に変更可能である。
【図面の簡単な説明】
【００７９】
【図１】本実施形態に係る眼科観察装置の構成について説明するブロック図である。
【図２】モニタに表示される表示画面（経過観察画面）の一例である。
【図３】モニタに表示される断層画像の表示倍率及び表示領域の変更について説明するための模式図である。
【図４】異なる検査日時にて取得された２つの断層画像における表示倍率の変更を同期させる場合の一例である。
【図５】異なる検査日時にて取得された２つの断層画像における表示領域の変更を同期させる場合の一例である。
【図６】非同期モードにおいて断層画像の表示領域を変更する場合の一例である。
【図７】検査日時の異なる２つの断層画像を比較するための層厚グラフを表示した場合の一例である。
【図８】層厚グラフのラインと断層画像のラインとの対応関係について説明するための模式図である。
【図９】ズーム倍率が２００％の場合において層厚グラフのラインと断層画像のラインの表示について示す図である。
【符号の説明】
【００８０】
１  眼科観察装置
７０  ＣＰＵ
７２  メモリ
７５  モニタ
７６  マウス
１００  カーソル
２２０  第１の断層画像
２３０  第２の断層画像
４４０  ズーム倍率調整部
５１０  同期ボタン
６１０ａ  層厚グラフ
Ｌｍ  ライン（第１の指標）
Ｌ１、Ｌ２  ライン（第２の指標）
【図１】
2010246904.tif 000003
【図２】
2010246904.tif 000004
【図３】
2010246904.tif 000005
【図４】
2010246904.tif 000006
【図５】
2010246904.tif 000007
【図６】
2010246904.tif 000008
【図７】
2010246904.tif 000009
【図８】
2010246904.tif 000010
【図９】
2010246904.tif 000011